(57)【要約】【課題】コンテンツ管理事業者が放送事業者の持つ番組を再利用しユーザの個人データを代行で蓄積管理すると同時にコンテンツとして再利用することで豊富なコンテンツ提供を行うことが可能なコンテンツ蓄積提供システムを提供する。【解決手段】番組を外部へ提供する番組提供手段と、前記番組の提供を受け付ける番組受付手段と、前期番組の提供を受けたことに対する対価を支払う番組使用料支払手段と、前記番組使用料を受け付ける番組使用料受付手段と、前期番組を加工して独自のコンテンツを作成する番組加工手段と、前記コンテンツを外部へ発信するコンテンツ送信手段と、前記コンテンツを受信するコンテンツ受信手段と、前記コンテンツを受けたことに対する対価を支払うコンテンツ使用料支払手段と、前記コンテンツ使用料を受け付けるコンテンツ使用料受付手段とを具備する。【選択図】図４
2005338896.tif 000002
【特許請求の範囲】
【請求項１】
番組を外部へ提供する番組提供手段と、前記番組の提供を受け付ける番組受付手段と、前期番組の提供を受けたことに対する対価を支払う番組使用料支払手段と、前記番組使用料を受け付ける番組使用料受付手段と、前期番組を加工して独自のコンテンツを作成する番組加工手段と、前記コンテンツを外部へ発信するコンテンツ送信手段と、前記コンテンツを受信するコンテンツ受信手段と、前記コンテンツを受けたことに対する対価を支払うコンテンツ使用料支払手段と、前記コンテンツ使用料を受け付けるコンテンツ使用料受付手段とを具備したコンテンツ蓄積提供システム。
【請求項２】
個人のデータを提供する個人データ提供手段と、前記個人データを蓄積する個人データ蓄積手段とを付加した請求項１記載のコンテンツ蓄積提供システム。
【請求項３】
広告を提供する広告提供手段と、前記広告を受け付ける広告受付手段と、前記広告をのせることに対する対価を支払う広告料支払手段と、前記広告料を受け付ける広告料受付手段とを付加した請求項１記載のコンテンツ蓄積提供システム。
【請求項４】
広告を提供する広告提供手段と、前記広告を受け付ける広告受付手段と、前記広告をのせることに対する対価を支払う広告料支払手段と、前記広告料を受け付ける広告料受付手段とを付加した請求項２記載のコンテンツ蓄積提供システム。
【発明の詳細な説明】
【技術分野】
【０００１】
本発明は、番組や個人データを管理、提供するコンテンツ蓄積提供システムに関するものである。
【背景技術】
【０００２】
従来、放送の中で好きなときに映画などのソフトを視聴可能なビデオオンデマンドサービスがあった（例えば非特許文献１参照）。また、ユーザが作成した個人情報を編集して放送するシステムはあった（例えば特許文献１参照）。
【特許文献１】特開２０００−１３７７５２号公報
【非特許文献１】マルチメディアビデオオンデマンド（昭晃堂、ＩＳＢＮ：４−７８５６−２１９２−３）
【発明の開示】
【発明が解決しようとする課題】
【０００３】
現在の仕組みは放送事業者を通じてのビデオオンデマンドサービスであり、見ることができるコンテンツが限られている。また、各個人がデータを管理するのは情報量が膨大で管理が容易ではない点である。
【０００４】
本発明は上記問題点に鑑み、コンテンツ管理事業者が放送事業者の持つ番組を再利用しユーザの個人データを代行で蓄積管理すると同時にコンテンツとして再利用することで豊富なコンテンツ提供を行うことが可能なコンテンツ蓄積提供システムを提供することを目的とする。
【課題を解決するための手段】
【０００５】
上記問題点を解決するために本発明（請求項１）のコンテンツ蓄積提供システムは、放送用に作成した番組を外部へ提供する番組提供手段と、前記番組の提供を受け付ける番組受付手段と、前期番組の提供を受けたことに対する対価を支払う番組使用料支払手段と、前記番組使用料を受け付ける番組使用料受付手段と、前期番組を加工して独自のコンテンツを作成する番組加工手段と、前記コンテンツを外部へ発信するコンテンツ送信手段と、前記コンテンツを受信するコンテンツ受信手段と、前記コンテンツを受けたことに対する対価を支払うコンテンツ使用料支払手段と、前記コンテンツ使用料を受け付けるコンテンツ使用料受付手段という構成を備えたものである。
【０００６】
また本発明（請求項２）のコンテンツ蓄積提供システムは、請求項１記載のコンテンツ蓄積提供システムに、個人のデータを提供する個人データ提供手段と、前記個人データを蓄積する個人データ蓄積手段とを付加した構成を備えたものである。
【０００７】
また本発明（請求項３）のコンテンツ蓄積提供システムは、請求項１記載のコンテンツ蓄積提供システムに、広告を提供する広告提供手段と、前記広告を受け付ける広告受付手段と、前記広告をのせることに対する対価を支払う広告料支払手段と、前記広告料を受け付ける広告料受付手段とを付加した構成を備えたものである。
【０００８】
また本発明（請求項４）のコンテンツ蓄積提供システムは、請求項２記載のコンテンツ蓄積提供システムに、広告を提供する広告提供手段と、前記広告を受け付ける広告受付手段と、前記広告をのせることに対する対価を支払う広告料支払手段と、前記広告料を受け付ける広告料受付手段とを付加した構成を備えたものである。
【発明の効果】
【０００９】
本発明のコンテンツ蓄積提供システムにより、これまで放送局だけが再放送の権利を持っていた放送番組を再構成してユーザに再配信することが可能となる。また、個人データの蓄積を代理で行なうことで、ユーザは大規模な記憶装置を持つことも編集の手間もなくなるし、コンテンツ管理事業者は個人データを再利用して豊富なコンテンツを配信することも可能となる。また、コンテンツに独自の広告を付けて配信することでコンテンツ管理事業者は収入を得ることができ、ユーザの負担も軽くなる。
【発明を実施するための最良の形態】
【００１０】
（実施の形態１）
図１に、本発明の実施の形態１に係るコンテンツ蓄積提供システムを示す。コンテンツ蓄積提供システムは、放送事業者用装置とコンテンツ管理事業者用装置とユーザ端末装置から構成される。
【００１１】
放送事業者用装置は、放送用に作成した番組をコンテンツ管理事業者用装置へ提供する番組提供手段１と、コンテンツ管理事業者用装置からの番組使用料を受け付ける番組使用料受付手段４から構成される。
【００１２】
コンテンツ管理事業者用装置は、放送事業者用装置から提供された番組を受け付ける番組受付手段２と、放送事業者用装置に対して番組の提供を受けたことに対する対価を支払う番組使用料支払手段３と、提供された番組を加工して独自のコンテンツを作成する番組加工手段５と、作成したコンテンツをユーザ端末装置へ発信するコンテンツ送信手段６と、ユーザ端末装置からのコンテンツ使用料を受け付けるコンテンツ使用料受付手段９から構成される。
【００１３】
ユーザ端末装置は、コンテンツ管理事業者装置からのコンテンツを受信するコンテンツ受信手段７と、コンテンツ管理事業者用装置に対してコンテンツの提供を受けたことに対する対価を支払うコンテンツ使用料支払手段８から構成される。
【００１４】
放送事業者用装置は、番組提供手段１で放送局が独自に製作した番組をネットワークなどを通じて提供する。番組は、例えばビデオオンデマンドサービスやビデオレンタルショップに出回ることのないマイナーな映画やドキュメンタリーなどである。コンテンツ管理事業者用装置は、番組受付手段２によりその番組を受け取る。また番組使用料支払手段３により番組の提供を受けたことに対する対価（番組使用料）を電子決済などによって放送事業者用装置に対して支払う。ここで、番組使用料は番組によって個別に取り決めされるものとする。放送事業者用装置は、番組使用料受付手段４によって番組使用料を受け付ける。コンテンツ管理事業者用装置は、番組加工手段５により提供された番組に解説などを加えて独自のコンテンツを作成する。ここで、独自のデータサービスなどを加えることも可能である。また、加工の範囲は事前に放送事業者用装置との間で取り決めされているものとする。
【００１５】
コンテンツ管理事業者用装置は、コンテンツ送信手段６により作成した独自コンテンツをネットワークやローカルの放送網を通じて提供する。ユーザ端末装置は、コンテンツ受信手段７（端末として受信機やＰＣなど）を利用しコンテンツを受け取る。またユーザはコンテンツ使用料支払手段８によりコンテンツを受けたことに対する対価（コンテンツ使用料）を電子決済などによって支払う。コンテンツ管理事業者用装置はコンテンツ使用料受付手段９によりコンテンツ使用料を受け付ける。これにより、ユーザも見逃した番組をもう一度見ることができたり、付加的な情報を得ることが可能となる。
【００１６】
（実施の形態２）
図２に、本発明の実施の形態２に係るコンテンツ蓄積提供システムを示す。本実施の形態２のコンテンツ蓄積提供システムは、実施の形態１に示すコンテンツ蓄積提供システムにおいて、コンテンツ管理事業者用装置に個人のデータを提供する個人データ提供手段１０を加え、更にユーザ端末装置に個人データを蓄積する個人データ蓄積手段１１を加えた構成である。
【００１７】
ユーザは個人データ提供手段１０により個人で撮影した映像や音楽をコンテンツ管理事業者用装置に提供する。コンテンツ管理事業者用装置は個人データ蓄積手段１１により、ユーザ端末装置からの個人データを受け取るとともに蓄積を代行する。ユーザは個人データの編集や加工をコンテンツ事業者に許可することで個人データの保管料は無料とする。単なる保管だけ依頼する場合は、コンテンツ使用料に保管料も上乗せするものとする。個人データは番組加工手段５により、新しいコンテンツとして利用され他のユーザ端末装置に配信される。
【００１８】
（実施の形態３）
図３に、本発明の実施の形態３に係るコンテンツ蓄積提供システムを示す。本実施の形態３のコンテンツ蓄積提供システムは、実施の形態１に示すコンテンツ蓄積提供システムにおいて、広告を提供する広告提供手段１２と、広告をのせることに対する対価を支払う広告料支払手段１４を備えた広告提供者用装置を加え、更にコンテンツ管理事業者用装置に、広告提供者用装置からの広告を受け付ける広告受付手段１３と、広告提供者用装置からの広告料を受け付ける広告料受付手段１５とを付加した構成である。
【００１９】
広告提供者用装置は、広告提供手段１２により映像や文字などの広告をネットワークなどを介してコンテンツ管理事業者用装置に提供する。コンテンツ管理事業者用装置は広告受付手段１３により広告を受け付ける。また広告提供者用装置は、広告料支払手段１４により広告をのせることに対する対価（広告料）を電子決済などによって支払う。コンテンツ管理事業者用装置は広告料受付手段１５により広告料を受け取る。コンテンツ管理事業者用装置が受け取った広告は番組加工手段５により、放送事業者用装置からのコンテンツの中に組み込み、他のユーザ端末装置へ配信される。
【００２０】
（実施の形態４）
図４に、本発明の実施の形態４に係るコンテンツ蓄積提供システムを示す。本実施の形態４のコンテンツ蓄積提供システムは、実施の形態２に示すコンテンツ蓄積提供システムに、広告を提供する広告提供手段１２と、広告をのせることに対する対価を支払う広告料支払手段１４を備えた広告提供者用装置を加え、更にコンテンツ管理事業者用装置に、広告提供者用装置からの広告を受け付ける広告受付手段１３と、広告提供者用装置からの広告料を受け付ける広告料受付手段１５とを付加した構成である。
【００２１】
広告提供者用装置は、広告提供手段１２により映像や文字などの広告をネットワークなどを介してコンテンツ管理事業者用装置に提供する。コンテンツ管理事業者用装置は広告受付手段１３により広告を受け付ける。また広告提供者用装置は、広告料支払手段１４により広告をのせることに対する対価（広告料）を電子決済などによって支払う。コンテンツ管理事業者用装置は広告料受付手段１５により広告料を受け取る。コンテンツ管理事業者用装置が受け取った広告は番組加工手段５により、放送事業者用装置からのコンテンツの中に組み込み、他のユーザ端末装置へ配信される。
【産業上の利用可能性】
【００２２】
本発明のコンテンツ蓄積提供システムは、放送番組を再構成してユーザに再配信することや個人データの再利用が可能であり、番組や個人データの提供システムとして有用である。
【図面の簡単な説明】
【００２３】
【図１】本発明の実施の形態１におけるコンテンツ蓄積提供システムの構成図
【図２】本発明の実施の形態２におけるコンテンツ蓄積提供システムの構成図
【図３】本発明の実施の形態３におけるコンテンツ蓄積提供システムの構成図
【図４】本発明の実施の形態４におけるコンテンツ蓄積提供システムの構成図
【符号の説明】
【００２４】
１    番組提供手段
２    番組受付手段
３    番組使用料支払手段
４    番組使用料受付手段
５    番組加工手段
６    コンテンツ送信手段
７    コンテンツ受信手段
８    コンテンツ使用料支払手段
９    コンテンツ使用料受付手段
１０    個人データ提供手段
１１    個人データ蓄積手段
１２    広告提供手段
１３    広告受付手段
１４    広告料支払手段
１５    広告料受付手段
【図１】
2005338896.tif 000003
【図２】
2005338896.tif 000004
【図３】
2005338896.tif 000005
【図４】
2005338896.tif 000006